(57)【要約】      （修正有）【課題】衣類、布団類等の収納量に応じて、収納ケースの収納容量を簡単に調節することができる収納ケースを提供する。【解決手段】上方が開口されたケース本体１と、このケース本体１の開口１１を閉止する蓋体２とを備え、蓋体２が係止部材３によってケース本体１に開閉自在に取り付ける。ケース本体１の底面部１２の周縁から立ち上がった側面部１３、１４、１５、１６を周回するように高さ調節部４が備えられてなり、高さ調節部４は、側面部１３、１４、１５、１６を周回するように設けられたファスナーの係合、解除により側面部１３、１４、１５、１６の高さを伸縮可能にする。【選択図】図１
0003162415.tif 000002
【実用新案登録請求の範囲】
【請求項１】
上方が開口されたケース本体と、このケース本体の開口を閉止する蓋体とを備え、該蓋体が係止部材によって前記ケース本体に開閉自在に取り付けられた収納ケースにおいて、
前記ケース本体の底面部の周縁から立ち上がった側面部を周回するように高さ調節部が備えられてなり、
前記高さ調節部は、前記側面部を周回するように設けられたファスナーの係合、解除により当該側面部の高さが伸縮可能とされたことを特徴とする収納ケース。
【請求項２】
請求項１において、
高さ調節部は、係止部材に近接して設けられてなる収納ケース。
【請求項３】
請求項１または２に記載の収納ケースにおいて、
ケース本体及び蓋体は、織布又は不織布によって形成されてなる収納ケース。
【請求項４】
請求項１〜３の何れか１項に記載の収納ケースにおいて、
側面部の少なくとも一面には、当該側面部が開閉自在となる第２開口部が設けられてなる収納ケース。
【請求項５】
請求項１〜４の何れか１項に記載の収納ケースにおいて、
側面部の少なくとも一部には、透明シートで形成した窓部が設けられてなる収納ケース。
【考案の詳細な説明】
【技術分野】
【０００１】
本考案は、衣類や布団類などを収納することのできる収納ケースに関する。
【背景技術】
【０００２】
一般に衣類、布団類などの収納物（以下、「衣類等」という。）を収納するための収納ケースは、シーズンオフの衣類等を保管するために用いられたり、また、引っ越しするときなどに衣類等を運搬するために用いられたりするなど、広く利用されている。
【０００３】
このような収納ケースとしては、木製、合成樹脂製、段ボール製のものが販売されていたが、最近では、更に軽量であって、不要時には畳んで保管することのできる織布又は不織布（以下、「不織布等」という。）で形成された収納ケースも販売されている。
【０００４】
具体的には、この収納ケースは、上方が開口された直方体状のケース本体と、ケース本体の開口を閉止する蓋体とが一枚の不織布等で形成され、前記蓋体がファスナーによって前記ケース本体に開閉自在に取り付けられている（例えば、特許文献１、参照。）。
【先行技術文献】
【特許文献】
【０００５】
【特許文献１】特開平１０−１２９７６１号公報
【考案の概要】
【考案が解決しようとする課題】
【０００６】
しかしながら、収納する衣類等の量が、ケース本体の収納容量に上手く合致すれば良いのであるが、実際には、衣類等の収納量と収納ケースの収納容量とは合致しないことが多い。
【０００７】
例えば、衣類等の収納量が収納ケースの収納容量よりも少ない場合には、前記衣類等を全てケース本体内に収納することはできる。
【０００８】
しかし、この場合には、ケース本体内に無駄な空スペースが生じるため、衣類等が詰まっていない空スペース部分のケース本体が撓んでしまう。
【０００９】
一方、衣類等の収納量が収納ケースの収納容量よりも多い場合には、前記衣類等を全てケース本体内に収納することができないので、更に、別の収納ケースが必要となり、収納ケースの必要数が増して費用がかかるうえ、別の収納ケースにも前記同様に無駄な空スペースが生じることがある。
【００１０】
そのため、衣類等の収納量が多い場合には、現状では、収納袋の収納容量を超えて衣類等を収容し、当該衣類等を押さえ付けながら前記蓋部のファスナーを閉めて無理に収納することも多い。
【００１１】
ところが、衣類等を収納ケースに無理に詰め込んでしまうと、衣類等が圧縮された状態のままで長期間収納されるため、衣類等の形が崩れて痛んでしまう。
【００１２】
本考案は、かかる課題を解決することを目的とし、衣類等の収納量に応じて収納ケースの収納容量を簡単に調節することのできる収納ケースを提供する。
【課題を解決するための手段】
【００１３】
前記課題を解決するために、
本考案は、上方が開口されたケース本体と、このケース本体の開口を閉止する蓋体とを備え、該蓋体が係止部材によって前記ケース本体に開閉自在に取り付けられた収納ケースにおいて、前記ケース本体の底面部の周縁から立ち上がった側面部を周回するように高さ調節部が備えられてなり、前記高さ調節部は、前記側面部を周回するように設けられたファスナーの係合、解除により当該側面部の高さが伸縮可能とされたことを特徴としている。
【００１４】
ここで、ファスナーとは、側面部を高さ方向に伸縮自在な線ファスナー、面ファスナー、スナップボタン等の総称である。
【００１５】
そのため、前記ファスナーが係合されると高さ調節部が縮まって側面部の高さが低くなり、一方、前記ファスナーの係合が解除されると高さ調節部が伸ばされて側面部の高さが高くなる。
【００１６】
従って、前記高さ調節部のファスナーを係合した状態で衣類等をケース本体に収納し、衣類等がケース本体に上手く一杯になるように収納された場合には、前記高さ調節部をそのままの状態にして蓋部をケース本体に閉止する。
【００１７】
また、ケース本体に衣類等が全て収納される前に、前記ケース本体が一杯になってしまった場合には、前記高さ調節部のファスナーの係合を解除して、この側面部の高さを伸ばせばケース本体の収納容量を増大できる。
【００１８】
ここで、前記収納容量は、側面部に囲まれた面積と、前記高さ調節部によって伸ばされた高さを乗じた容積分が増量されるため、前記高さ調節部の伸びる高さ（長さ）を特定するだけで、増量される収納容量を容易に設定できる。
【００１９】
また、本考案の高さ調節部は、側面部のどの高さ位置に設けられていても構わないが、係止部材に近接して設けておけば、前記高さ調節部を伸ばすときに、ケース本体に収納されている衣類等と殆ど接触しないので、前記高さ調節部をスムーズに伸ばすことができる。
【００２０】
ここで、近接とは、前記高さ調節部がケース本体の係止部材の近傍に設けられることを意味し、当該ケース本体と完全に接している場合も含む意味である。
【００２１】
このような本考案のケース本体及び蓋体は、不織布等によって形成されているので、軽量であるうえ加工性も良く、様々なデザインや大きさなどに対応して容易に製造できる。
【００２２】
また、本考案の側面部の少なくとも一面には、当該側面部が開閉自在となる第２開口部が設けられている。
【００２３】
そのため、例えば、収納ケースが押入れ、クローゼット等に保管されて取り出し難い状態であっても、当該収納ケースを一々取り出さすことなく第２開口部を開放して、衣類等の出し入れを行うこともできる。
【００２４】
更に、本考案の側面部の少なくとも一部には、透明シートで形成した窓部が設けられている。
【００２５】
そのため、例えば、複数の収納ケースが積段又は並設されていても、前記窓部を通して、収納ケース内に収納された衣類等を外部から容易に目視することができるので、一々蓋部を開放して収納ケース内の衣類等を確認しなくても、必要な収納ケースを確実に選んで衣類等を取り出すことができる。
【考案の効果】
【００２６】
本考案に係る収納ケースによれば、高さ調節部のファスナーを係合、解除して側面部の高さを伸縮するだけで、衣類等の収納量に応じて収納ケースの収納容量を簡単に調節できる。
【図面の簡単な説明】
【００２７】
【図１】本考案の一実施形態を示す収納ケースＡの斜視図である。
【図２】（ａ）〜（ｃ）は、図１の収納ケースＡの高さ調節部４を縮めた状態の正面図、平面図、左側面図である。
【図３】（ａ）〜（ｃ）は、図１の収納ケースＡの高さ調節部４を伸ばした状態の正面図、平面図、左側面図である。
【図４】（ａ）は、図２（ａ）のＢ−Ｂ線拡大端面図であり、（ｂ）は、図３（ａ）のＣ−Ｃ線拡大端面図である。
【図５】（ａ）〜（ｃ）は、本実施形態の収納ケースＡの使用方法を示す斜視図である。
【考案を実施するための形態】
【００２８】
以下、本考案の一実施形態を図面に基づいて説明する。
【００２９】
図１は、本考案の一実施形態を示す収納ケースＡの斜視図である。
【００３０】
また、図２（ａ）〜（ｃ）は、図１の収納ケースＡの高さ調節部４を縮めた状態の正面図、平面図、左側面図を示し、図３（ａ）〜（ｃ）は、図１の収納ケースＡの高さ調節部４を伸ばした状態の正面図、平面図、左側面図を示している。
【００３１】
本実施形態の収納ケースＡは、上方が開口１１された直方体状のケース本体１と、このケース本体１の開口１１を閉止する蓋体２を、可撓性を有するシート状基材で形成している。
【００３２】
シート状基材としては、織布、不織布、軟質合成樹脂シート、皮などから適宜採用されるが、本実施形態では不織布を用いてケース本体１及び蓋体２を形成している。
【００３３】
ケース本体１は、矩形の底面部１２と、該底面部１２の周縁から立上った矩形の両側面部１３、１４と、この両側面部１３、１４よりも横長の矩形の前側面部１５及び後側面部１６から構成されて、上方が開口１１された直方体状に形成している。
【００３４】
蓋体２は、ケース本体１の後面部１６から連続した不織布からなり、底面部１２と略同形状に形成している。
【００３５】
具体的には、底面部１２、両側面部１３、１４、後側面部１６及び蓋部２は、一枚の不織布から形成されており、底面部１２の両側縁と両側面部１３、１４の下端縁を、パイピング材（不図示）で縫い付けて接合している。
【００３６】
そして、ケース本体１の開口１１の３辺、即ち、両側面部１３、１４と前面部１５の各上端縁には、係止部材３であるファスナーの一片３２がパイピング材（不図示）とともに縫着されている。
【００３７】
ここで、パイピング材とは、布端のほつれを防止し、接合部の強度向上と美観の向上を図るために、前記布端に配置して縫い付けられる帯状の布片である。
【００３８】
一方、前記ファスナーの一片３２に対応する蓋体２周縁の３辺には、ファスナーの他片３１が前記パイピング材とともに一連に縫着されている。
【００３９】
そのため、前記ファスナーのスライダー３ａを持って当該ファスナーの一片３２に沿ってスライドするだけで、蓋体２がケース本体１の開口１１を容易に開放又は閉止できる。
【００４０】
なお、本実施形態では、係止部材３として線ファスナーを例示したが、ケース本体１及び蓋体２を開閉自在な係止部材３であれば、前記線ファスナーに代えて、例えば、面ファスナーやスナップボタン等を設けても構わない。
【００４１】
このように形成されたケース本体１の底面部１２の周縁から立ち上がった４つの側面部、即ち、両側面部１３、１４及び前側面部１５及び後側面部１６を周回するようにして高さ調節部４が設けられている。
【００４２】
ここで、図４（ａ）は、図２（ａ）のＢ−Ｂ線拡大端面図であり、図４（ｂ）は、図３（ａ）のＣ−Ｃ線拡大端面図である。
【００４３】
すなわち、本実施形態の高さ調節部４は、４つの側面部１３、１４、１５、１６の上下方向に間隔をあけて２条のファスナー片４１、４２を並行して縫着することによりファスナー片４１、４２の間にマチ部４３を形成したものである。
【００４４】
具体的には、ファスナー片４１、４２は、後側面部１６の左側面部１４寄りを始点にして、左側面部１４、前側面部１５、右側面部１３、後側面部１６を一周回したうえで、図２（ｃ）に示すように、前記始点を通り越して左側面部１４の後側面部１６寄りを当該ファスナー片４１、４２の終端となるように縫着している。
【００４５】
また、マチ部４３の高さ（長さ）は、ファスナー片４１、４２の縫着位置によって容易に特定することができる。
【００４６】
ここで、マチ部４３の高さは、当該マチ部４３を縮めた場合の収納ケースＡの高さを１００としたときには、１０〜５０％以下、好ましくは、２５〜４０％の高さに特定するのが良い。
【００４７】
すなわち、マチ部４３の高さが１０％よりも低ければ衣類等を１、２枚程度しか増量できずに本考案の効果が有名無実となり、逆に、マチ部４３の高さが５０％よりも高ければファスナー片４１、４２を係合する際にマチ部４３を噛み込み易くなってしまう恐れがあるからである。
【００４８】
また、本実施形態の収納ケースＡは、主に衣類を収納することを想定して直方体状のものを例示したが、この形状には限定されず、収納物に応じて形成される。
【００４９】
具体的には、収納物が帽子等であれば収納ケースＡは円筒状に形成され、また、収納物が座布団等であれば収納ケースＡは立方体状に形成されるのが好ましく、勿論、収納ケースＡを上記以外の多角筒状等に形成することも可能である。
【００５０】
また、高さ調節部４は、係止部材３の下方であれば、４つの側面部１３、１４、１５、１６のどの高さ位置に設けても構わないが、本実施形態では、係止部材３の他片３２に近接するように高さ調節部４のファスナー片４１を逢着している。
【００５１】
このように高さ調節部４を係止部材３に近接して設けておけば、高さ調節部４を底面部１２側に設けた場合に比べて、高さ調節部４のマチ部４３を伸ばすときに、当該マチ部４３がケース本体１に収納されている衣類等Ｗと殆ど接触しないので、高さ調節部４をスムーズに伸ばすことができる。
【００５２】
そのため、ファスナー片４１、４２同士を係合した状態では、図４（ａ）に示すように当該ファスナー４１、４２片の間のマチ部４３が内側に畳まれて４つの側面部１３、１４、１５、１６の高さが低くなり、収納ケースＡの収納容量を最小限にできる。
【００５３】
一方、ファスナー片４１、４２同士の係合を解除した状態では、図４（ｂ）に示すように当該ファスナー片４１、４２の間に畳まれたマチ部４３が伸ばされて４つの側面部１３、１４、１５、１６の高さが高くなり、収納ケースＡの収納容量を最大限にできる。
【００５４】
また、４つの側面部１３、１４、１５、１６のうち、少なくとも両側面部１３、１４には、当該両側面部１３、１４と略同形状に形成した厚紙の芯材（不図示）が内装されている。
【００５５】
この芯材を両側面部１３、１４に内装することで、収納ケースＡを使用しないときには、前記芯材の大きさまで当該収納ケースＡをコンパクトに折り畳むことができると共に、収納ケースＡを使用するときには両側面部１３、１４が立起され易く、ケース本体１を容易に直方体状に形成できる。
【００５６】
また、ケース本体１の底面部１２及び後側面部１６の内面適所には、衣類等Ｗの滑りを防止するために、面ファスナやゴム片等の滑り止め部材（不図示）を設けておくのが好ましい。
【００５７】
更に、両側面部１３、１４の夫々の外面には、図示のような帯状の取っ手１３ａを形成しておけば、収納ケースＡの移動や運搬にも持ち易くて便利である。
【００５８】
更にまた、本実施形態の前側面部１５には、当該前側面部１５の一部又は全部が開閉自在となる第２開口部５を設けている。
【００５９】
本実施形態の第２開口部５は、前側面部１５の両側に隣接する側面部１３、１４との接合辺５ａ、５ｂ及びこれら２つの接合辺５ａ、５ｂの上端同士を繋ぐ連結辺５ｃに連続して線ファスナーを設けてなる。
【００６０】
そのため、前記線ファスナーを開放すれば、前側面部１５の略全体である第２開口部５を開放してケース本体１内に連通される。
【００６１】
また、第２開口部５は不織布等で底面部１２に連続形成しても構わないが、本実施形態では、第２開口部５を透明の軟質合成樹脂シートで形成することで、ケース本体１内を外部から目視可能な窓部１５ａとしても機能させている。
【００６２】
このように構成された本考案の収納ケースＡは、以下の要領で使用する。
【００６３】
図５（ａ）〜（ｃ）は、本実施形態の収納ケースＡの使用方法を示す斜視図である。
【００６４】
先ず、高さ調節部４を縮めた状態〔図４（ａ）参照。〕にして収納ケースＡの係止部材３を開放し、蓋部２を開いてケース本体１の開口１１を開放する。
【００６５】
次に、この開放された開口１１から衣類等Ｗをケース本体１内に順次収納する〔図５（ａ）参照。〕。
【００６６】
そして、収納される衣類等Ｗが、ケース本体１の収納容量以下である場合には、衣類等Ｗを全てケース本体１内に収納した後、蓋部２を開口１１に被せて係止部材３を閉止して衣類等Ｗの収納を完了する。
【００６７】
ところが、収納する衣類等Ｗの量（収納量）が、ケース本体１の収納容量よりも多い場合には、これ以上の衣類等Ｗを収納できない。
【００６８】
そこで、高さ調節部４のスライダー（不図示）を摘んで４つの側面部１３、１４、１５、１６を周回するようにスライドさせてファスナー片４１、４２同士の係合を解除する。
【００６９】
そして、ケース本体１の開口１１周縁を上方に引っ張り上げてマチ部４３を伸ばすと〔図４（ｂ）参照。〕、４つの側面部１３、１４、１５、１６の高さが高くなって、ケース本体１の収納容量が増大され、収納できなかった残りの衣類等Ｗをケース本体１内に全て収納できる〔図５（ｂ）参照。〕。
【００７０】
最後に、衣類等Ｗを全てケース本体１内に収納した後、帯部２を開口１１に被せて係止部材３を閉止して衣類等Ｗの収納を完了する。
【００７１】
なお、衣類等Ｗの収納を完了した収納ケースＡは、例えば、押入れ、クローゼット等に保管されるが、この保管中にも窓部１５ａを通じて収納ケースＡ内を目視できるので、蓋部２を一々開放しなくても、必要に応じて第２開口部５を開放すれば、衣類等Ｗの出し入れを行うことは可能である。
【００７２】
以上の通り、本考案の収納ケースＡによれば、衣類等Ｗの収納量に応じて高さ調節部４のマチ部４３を縮めたり又は伸ばしたりすることで、４つの側面部１３、１４、１５、１６の高さを調節して収納ケースＡの収納容量を調節することができる。
【００７３】
そのため、１つの収納ケースＡであるにも拘らず、収納容量の異なる２種類の収納ケースの何れかを選択することと同様の効果を得ることができる。
【００７４】
従って、衣類等Ｗの収納量とケース本体１の収納容量を略合致させることができ、ケース本体１内に無駄な空スペースを生じることなく、しかも衣類等Ｗを痛めることなく収納できるのである。
【符号の説明】
【００７５】
Ａ    収納ケース
１    ケース本体
１１    開口
１２    底面部
１３    側面部
１４    側面部
１５    （前）側面部
１６    （後）側面部
２    蓋体
３    係止部材
４    高さ調節部
４１    ファスナー片
４２    ファスナー片
４３    折込部
５    第２開口部
１５ａ    窓部
【図１】
0003162415.tif 000003
【図２】
0003162415.tif 000004
【図３】
0003162415.tif 000005
【図４】
0003162415.tif 000006
【図５】
0003162415.tif 000007